(57)【要約】      （修正有）【課題】施設の近傍を移動する車両に対して、車両のユーザが地元民の場合、当該施設の特典情報を配信し、車両のユーザが非地元民の場合、当該施設の紹介情報を配信する。【解決手段】施設情報配信サーバシステム３０は、複数の車両の位置情報を受信する位置情報受信部と、各車両の位置情報の推移からユーザの生活拠点位置を推定し、施設の位置からユーザの生活拠点位置までの距離に基づき、ユーザが、施設にとって地元の人であるか否かを判定する地元判定部と、各車両の現在走行位置が施設の施設位置から所定の距離範囲内に位置する場合に、ユーザが施設にとって地元の人であるときは第２施設情報を配信するように設定し、ユーザが施設にとって地元の人でないときは第１施設情報を配信するように設定する施設情報配信設定部と、を備える。【選択図】図６
2019159552.tif 000002
【特許請求の範囲】
【請求項１】
移動体の位置情報を受信する位置情報受信部と、
施設の紹介情報である第１施設情報及び施設の特典情報である第２施設情報を含む施設に関する情報と、前記施設の施設位置を含む地図情報と、を記憶する記憶部と、
前記移動体の位置情報の推移から前記移動体のユーザの生活拠点位置を推定し、前記施設の位置及び前記推定した前記移動体のユーザの生活拠点位置に基づき、前記移動体のユーザが、前記施設にとって地元の人であるか否かを判定する地元判定部と、
前記移動体の現在走行位置が前記施設の施設位置から所定の範囲内に位置する場合に、前記移動体のユーザが前記施設にとって地元の人であるときは前記第２施設情報を配信するように設定し、前記移動体のユーザが前記施設にとって地元の人でないときは前記第１施設情報を配信するように設定する施設情報配信設定部と、を備える施設情報配信装置。
【請求項２】
前記移動体の位置情報の過去の推移と前記施設の位置とから、過去の前記移動体の前記施設への滞在の有無を判定する滞在判定部を備え、
前記施設情報配信設定部は、前記移動体のユーザが前記施設にとって地元の人でない場合であっても、前記滞在判定部により、前記移動体が過去に前記施設に滞在したことがあると判定されたときには、前記移動体に対して前記第２施設情報を配信することを特徴とする請求項１に記載の施設情報配信装置。
【請求項３】
前記施設情報配信設定部は、さらに、前記移動体のユーザが前記施設にとって地元の人である場合には、前記移動体の現在走行位置が前記施設に近づくように推移していることを要件として、前記第２施設情報を前記移動体に対して配信するように設定することを特徴とする請求項１又は請求項２に記載の施設情報配信装置。
【請求項４】
前記第２施設情報の特典情報は、商品若しくはサービスの値引き情報、又はクーポン情報であることを特徴とする請求項１から請求項３のいずれか１項に記載の施設情報配信装置。
【請求項５】
前記移動体のユーザの生活拠点位置は、前記ユーザの自宅、職場、又は学校であることを特徴とする請求項１から請求項４のいずれか１項に記載の施設情報配信装置。
【請求項６】
施設の紹介情報である第１施設情報及び施設の特典情報である第２施設情報を含む施設に関する情報と、前記施設の施設位置を含む地図情報と、を記憶する記憶部を有する１つ以上のコンピュータが行う施設情報配信方法であって、
移動体の位置情報を受信する位置情報受信ステップと、
前記移動体の位置情報の推移から前記移動体のユーザの生活拠点位置を推定し、前記施設の位置及び前記推定した前記移動体のユーザの生活拠点位置に基づき、前記移動体のユーザが、前記施設にとって地元の人であるか否かを判定する地元判定ステップと、
前記移動体の現在走行位置が前記施設の施設位置から所定の範囲内に位置する場合に、前記移動体のユーザが前記施設にとって地元の人であるときは前記第２施設情報を配信するように設定し、前記移動体のユーザが前記施設にとって地元の人でないときは前記第１施設情報を配信するように設定する施設情報配信設定ステップと、を備える施設情報配信方法。
【発明の詳細な説明】
【技術分野】
【０００１】
本発明は、自動車等の車両の走行情報に基づいて、施設の近傍を移動する車両に対して、当該車両のユーザが地元の人である場合、当該施設の特典情報を配信し、当該車両のユーザが地元でない人でない場合、前記施設の紹介情報を配信する施設情報配信装置、及び施設情報配信方法に関する。
【背景技術】
【０００２】
従来、飲食店等の様々な施設の利用を促すために、ユーザに対して施設情報を通知する技術が知られている。このような技術の一例が、特許文献１に開示されている。 特許文献１に開示の技術によれば、施設の近傍を移動する移動体を対象として、施設情報を配信することができる。
【先行技術文献】
【特許文献】
【０００３】
【特許文献１】特開平０８−０７６７０６号公報
【発明の概要】
【発明が解決しようとする課題】
【０００４】
特許文献１に開示の技術等を利用すれば、上述したように、施設の近傍を移動する移動体に対して施設の利用を促すための施設情報を提供することができる。
しかし、移動体によっては受信する施設情報が有用ではない場合もあり、そのような情報を受け取った移動体のユーザにとっては煩わしさを感じる場合も予想される。例えば、移動体のユーザ（例えば運転者又は同乗者）が当該施設から所定の距離内に生活拠点がある地元の人の場合などがそれに当てはまる可能性が高いと推定される。
他方、施設情報の配信を依頼した広告主にとっては、このような移動体を含めて施設情報を配信した場合には、広告代金が無駄になってしまう問題があった。
【０００５】
本発明はこのような問題に鑑みてなされたものであり、本発明は、自動車等の車両の走行情報に基づいて、施設の近傍を移動する車両に対して、当該車両のユーザが地元の人である場合、当該施設の特典情報を配信し、当該車両のユーザが地元でない人でない場合、当該施設の紹介情報を配信する施設情報配信装置、及び施設情報配信方法を提供することを目的とする。
【課題を解決するための手段】
【０００６】
（１）  本発明の施設情報配信装置（例えば、後述の「施設情報配信サーバシステム３０」）は、移動体（例えば、後述の「車両５０」）の位置情報を受信する位置情報受信部（例えば、後述の「位置情報データベース作成部３１１」）と、施設の紹介情報である第１施設情報（例えば、後述の「第１施設情報３２３１」）及び施設の特典情報である第２施設情報（例えば、後述の「第２施設情報３２３２」）を含む施設に関する情報（例えば、後述の「施設情報３２３」）と、前記施設の施設位置を含む地図情報（例えば、後述の「地図情報３２２」）と、を記憶する記憶部（例えば、後述の「記憶部３２」）と、前記移動体の位置情報の過去の推移から前記移動体のユーザの生活拠点位置を推定し、前記施設の位置及び前記推定した前記移動体のユーザの生活拠点位置に基づき、前記移動体のユーザが、前記施設にとって地元の人であるか否かを判定する地元判定部（例えば、後述の「地元判定部３１２」）と、前記移動体の現在走行位置が前記施設の施設位置から所定の範囲内に位置する場合に、前記移動体のユーザが前記施設にとって地元の人であるときは前記移動体に対して前記第２施設情報を配信するように設定し、前記移動体のユーザが前記施設にとって地元の人でないときは前記移動体に対して前記第１施設情報を配信するように設定する施設情報配信設定部（例えば、後述の「施設情報配信設定部３１３」）と、を備える。
【０００７】
上記（１）によれば、前記施設にとって地元の人である地元民が何度も同じ施設情報を受け取る煩わしさを回避するとともに、前記施設の特典情報を提供することで地元民の前記施設への立ち寄りの確度を高め、また、前記施設にとって地元の人でない非地元民に対しては前記施設を紹介することで、非地元民が前記施設に立ち寄る確度を高めることを可能とする。
【０００８】
（２）  （１）に記載の施設情報配信装置（例えば、後述の「施設情報配信サーバシステム３０」）は、さらに、前記移動体（例えば、後述の「車両５０」）の位置情報の過去の推移と前記施設の位置とから、過去の前記移動体の前記施設への滞在の有無を判定する滞在判定部（例えば、後述の「滞在判定部３１４」）を備え、前記施設情報配信設定部（例えば、後述の「施設情報配信設定部３１３」）は、前記移動体のユーザが前記施設にとって地元の人でない場合であっても、前記滞在判定部により、前記移動体が過去に前記施設に滞在したことがあると判定されたときには、前記移動体に対して前記第２施設情報を配信するようにしてもよい。
【０００９】
上記（２）によれば、例えば、遠方からリピーターとなっている前記ユーザの移動体は、前記施設の特典情報を受信することができるため、前記ユーザが前記施設にとって地元の人でない非地元民であっても、前記施設の特典情報を提供することで、前記施設にとって地元の人である地元民と同様に、前記施設への立ち寄りの確度を高めることができる。
【００１０】
（３）  （１）又は（２）に記載の前記施設情報配信設定部（例えば、後述の「施設情報配信設定部３１３」）は、さらに、前記移動体（例えば、後述の「車両５０」）のユーザが前記施設にとって地元の人である場合には、前記移動体の現在走行位置が前記施設に近づくように推移していることを要件として、前記第２施設情報を前記移動体に対して配信するように設定するようにしてもよい。
【００１１】
上記（３）によれば、前記施設に向かっている前記移動体に向けて前記施設の特典情報を提供するため、前記施設にとって地元の人である地元民が前記施設への立ち寄りの確度をより高めるターゲティング広告を配信することが可能となる。
【００１２】
（４）  （１）から（３）のいずれかに記載の前記第２施設情報の特典情報は、商品若しくはサービスの値引き情報、又はクーポン情報であるようにしてもよい。
【００１３】
上記（４）によれば、前記施設にとって地元の人である地元民に対して効果的に広告情報を配信することが可能となり、前記施設のリピーターになる確度を高めることができる。
【００１４】
（５）  （１）から（４）のいずれかに記載の前記移動体のユーザの生活拠点位置は、前記ユーザの自宅、職場、又は学校であるようにしてもよい。
【００１５】
上記（５）によれば、前記施設は、前記施設の第２施設情報である特典情報を、前記施設から所定の距離内に自宅のあるユーザだけでなく、前記施設から所定の距離内に職場、又は学校がある前記ユーザの前記移動体に対しても、前記施設の特典情報を配信することが可能となり、例えば職場帰り又は学校帰りのユーザが前記施設に立ち寄る確度を高めることが可能となり、前記施設は効果的に広告情報を配信することができる。
【００１６】
（６）本発明の施設情報配信方法は、施設の紹介情報である第１施設情報（例えば、後述の「第１施設情報３２３１」）及び施設の特典情報である第２施設情報（例えば、後述の「第２施設情報３２３２」）を含む施設に関する情報（例えば、後述の「施設情報３２３」）と、前記施設の施設位置を含む地図情報（例えば、後述の「地図情報３２２」）と、を記憶する記憶部（例えば、後述の「記憶部３２」）を有する１つ以上のコンピュータが、移動体（例えば、後述の「車両５０」）の位置情報を受信する位置情報受信ステップと、前記移動体の位置情報の推移から前記移動体のユーザの生活拠点位置を推定し、前記施設の位置及び前記推定した前記移動体のユーザの生活拠点位置に基づき、前記移動体のユーザが、前記施設にとって地元の人であるか否かを判定する地元判定ステップと、前記移動体の現在走行位置が前記施設の施設位置から所定の範囲内に位置する場合に、前記移動体のユーザが前記施設にとって地元の人であるときは前記第２施設情報を配信するように設定し、前記移動体のユーザが前記施設にとって地元の人でないときは前記第１施設情報を配信するように設定する施設情報配信設定ステップと、を備える。
上記（６）の方法によれば、（１）の施設情報配信装置と同様の効果を奏する。
【発明の効果】
【００１７】
本発明によれば、自動車等の車両の走行情報に基づいて、施設の近傍を移動する車両に対して、当該車両のユーザが地元の人である場合、当該施設の特典情報を配信し、当該車両のユーザが地元でない人でない場合、当該施設の紹介情報を配信する施設情報配信装置、及び施設情報配信方法を提供することができる。
【図面の簡単な説明】
【００１８】
【図１】本発明の実施形態である施設情報配信システム全体の基本的構成を示すブロック図である。
【図２】本発明の実施形態である施設情報配信システムにおける、配信対象施設の位置と、車両の位置と、車両に配信される施設情報と、の関連を示す概略図である。
【図３】本発明の実施形態における車載ナビゲーション装置の機能構成を示す機能ブロック図である。
【図４Ａ】車載ナビゲーション装置１０又は携帯端末２０に表示される、施設情報配信を要求するための画面の例を示す図である。
【図４Ｂ】車載ナビゲーション装置１０又は携帯端末２０に表示される、配信された施設の位置を表示する画面の例を示す図である。
【図４Ｃ】車載ナビゲーション装置１０又は携帯端末２０に表示される、配信された施設情報を表示する画面の例を示す図である。
【図５】本発明の実施形態における携帯端末の機能構成を示す機能ブロック図である。
【図６】本発明の実施形態における施設情報配信サーバシステムの機能構成を示す機能ブロック図である。
【図７】本発明の実施形態における位置情報データベースの例を示す図である。
【図８】本発明の実施形態における位置情報の収集及び位置情報データベースの更新時の基本的動作を示すフローチャートである。
【図９】本発明の実施形態における施設情報作成処理時の基本的動作を示すフローチャートである。
【発明を実施するための形態】
【００１９】
＜施設情報配信システム１の全体構成＞
以下、本発明の施設情報配信システムの好ましい一実施形態について、図を参照しながら詳細に説明する。図１に、施設情報配信システム１の全体構成を示す。
【００２０】
図１に示すように、施設情報配信システム１は、車載ナビゲーション装置１０と、携帯端末２０と、施設情報配信サーバシステム３０と、を含んで構成される。これら各装置及び各端末は、通信網４０を介して相互に通信可能に接続される。なお、図中では、これら各装置及び各端末にて送受信される情報についても図示しているが、これらの情報はあくまで一例である。本実施形態にて、図示をしている以外の情報が送受信されるようにしてもよい。
【００２１】
車載ナビゲーション装置１０は、車載ナビゲーション装置１０の位置情報（すなわち、車両５０ａの位置情報）を測位する機能を有する。車載ナビゲーション装置１０が測位した位置情報は、施設情報配信サーバシステム３０に対して適宜送信される。また、車載ナビゲーション装置１０は、車両５０ａに乗車したユーザに対して、施設情報配信システム１を利用して配信される施設の紹介情報である第１施設情報及び／又は施設の特典情報である第２施設情報（以下、「施設情報」という）の表示及び経路案内（カーナビゲーション）等を行う機能も有する。車載ナビゲーション装置１０は、施設情報の表示及び現在位置から目的地までの経路案内等を行う。
以下、本実施形態における「施設」は、特に断らない限り、施設情報配信システム１を利用して、施設の紹介情報である第１施設情報及び／又は施設の特典情報である第２施設情報を配信する、配信対象施設を意味するものとする。
車載ナビゲーション装置１０は、移動体である車両５０ａに据え付けられたカーナビゲーション装置や、移動体である車両５０ａに簡易的に設置され可搬可能なＰＮＤ（Portable Navigation Device）により実現することができる。
【００２２】
携帯端末２０は、車両５０ｂに乗車したユーザが利用する携帯端末である。携帯端末２０は、上述した車載ナビゲーション装置１０と同様に、携帯端末２０の位置情報（すなわち、車両５０ｂの位置情報）を測位する機能を有する。携帯端末２０が測位した位置情報は、車載ナビゲーション装置１０が測位した位置情報と同様に、施設情報配信サーバシステム３０に対して適宜送信される。
携帯端末２０は、スマートフォン、携帯電話機、タブレット端末、ノートパソコン、その他の携帯可能な電子機器により実現することができる。
【００２３】
なお、図中では、車載ナビゲーション装置１０と車両５０ａの組と、携帯端末２０と車両５０ｂの組をそれぞれ一組ずつ図示しているが、これらの組数に特に制限はない。また、以下の説明において、車載ナビゲーション装置１０が搭載された車両５０ａや、携帯端末２０を利用するユーザが乗車する車両５０ｂを区別することなく呼ぶ場合には、末尾のアルファベットを省略して、単に「車両５０」と呼ぶ。
【００２４】
施設情報配信サーバシステム３０は、本実施形態特有の処理として、車両５０が施設の近傍を移動する車両５０に対して、車両５０のユーザが当該施設にとって地元の人であるときは当該施設の特典情報（例えば商品若しくはサービスの値引き情報、又はクーポン情報等）である第２施設情報を配信するように設定し、車両５０のユーザが当該施設にとって地元の人でないときは当該施設の紹介情報である第１施設情報を配信するように設定する装置である。
図２は、配信対象施設の位置と、車両の位置と、車両に配信される施設情報と、の関連を示す概略図である。
ここで、ユーザが当該施設にとって地元の人（以下「地元民」ともいう）であるとは、当該ユーザの何れかの生活拠点位置（例えばユーザの自宅、職場、又は学校等）が当該施設の位置から予め設定された範囲（以下、「第１所定範囲」ともいう）内に位置することをいう。逆に、当該ユーザの何れの生活拠点位置も当該施設の位置から第１所定範囲外に位置する場合、ユーザは当該施設にとって地元の人でない（以下「非地元民」ともいう）とする。
また、施設の近傍を移動する車両５０とは、車両５０の現在位置が施設の位置から予め設定された範囲（以下、「第２所定範囲」ともいう）内に位置することをいう。なお、第２所定範囲は第１所定範囲に含まれる。
第１所定範囲は任意の大きさとすることができる。例えば、図２に示すように、当該施設の位置を中心とした半径Ｎ１［ｋｍ］（Ｎ１は、任意の正の値）の範囲を第１所定範囲とすることができる。また、半径ではなく、例えば当該施設からの道路上での移動距離がＮ１［ｋｍ］の範囲を第１所定範囲とするようにしてもよい。また、他にも例えば施設位置までの所要移動時間に基づいて第１所定範囲を決定するようにしてもよい。第１所定範囲の大きさは適宜設定することができる。例えば、施設情報配信サーバシステム３０を利用して、第１施設情報又は第２施設情報を配信する各施設毎に当該施設にとって適した第１所定範囲を設定するようにしてもよい。
また、第２所定範囲についても、第１所定範囲と同様に設定することができる。例えば、当該施設の位置を中心とした半径Ｎ２［ｋｍ］（Ｎ２は、任意の正の値でＮ２＜Ｎ１とする）の範囲を第２所定範囲とするようにしてもよい。また、半径ではなく、例えば当該施設からの道路上での移動距離がＮ２［ｋｍ］の範囲を第２所定範囲とするようにしてもよい。また、他にも例えば施設位置までの所要移動時間に基づいて第２所定範囲を決定するようにしてもよい。
そうすることで、車両Ａは地元民の車両と判定され、配信対象施設から半径Ｎ２［ｋｍ］以内に位置したときに、第２施設情報が配信される。他方車両Ｂは非地元民の車両と判定され、配信対象施設から半径Ｎ２［ｋｍ］以内に位置したときに、第１施設情報が配信される。
【００２５】
このようにすることで、施設情報配信サーバシステム３０を利用して、第１施設情報又は第２施設情報を配信する施設にとって、地元民が何度も同じ施設情報を受け取る煩わしさを回避し、施設の特典情報を提供することで地元民の施設への立ち寄りの確度を高め、また、施設にとって非地元民に対しては施設を紹介することで、非地元民が施設に立ち寄る確度を高めることが可能となる。
【００２６】
施設情報配信サーバシステム３０は、例えば、汎用のサーバ装置に本実施形態特有のソフトウェアを組み込むことにより実現することができる。ここで、サーバ装置は、１つのコンピュータ又は複数のコンピュータから構成される分散システムでもよい。
【００２７】
通信網４０は、インターネットや携帯電話網といったネットワークや、これらを組合せたネットワークにより実現される。
【００２８】
車両５０は、車載ナビゲーション装置１０や携帯端末２０のユーザが乗車する移動体である。車両５０は、例えば、四輪自動車や自動二輪車や自転車等により実現される。
以上、施設情報配信システム１の全体構成について説明した。
次にそれぞれの構成について説明する。
【００２９】
＜車載ナビゲーション装置１０が備える機能ブロック＞
車載ナビゲーション装置１０が備える機能ブロックについて図３のブロック図を参照して説明をする。
ここで、車載ナビゲーション装置１０は、車両５０ａから電源の供給を受けており、車両５０ａに乗車したユーザにより車両５０ａのイグニッションスイッチがオン（エンジンを起動）にされることによって自動起動する。そして、車載ナビゲーション装置１０は、車両５０ａに乗車したユーザにより車両５０ａのイグニッションスイッチがオフ（エンジンを停止）にされるまで稼働する。
【００３０】
図３に示すように、車載ナビゲーション装置１０は、制御部１１と、記憶部１２と、通信部１３と、センサ部１４と、表示部１５と、入力部１６とを含んで構成される。
【００３１】
制御部１１は、マイクロプロセッサ等の演算処理装置から構成され、１０を構成する各部の制御を行う。制御部１１の詳細については、後述する。
【００３２】
記憶部１２は、半導体メモリ等で構成されており、ファームウェアやオペレーティングシステムと呼ばれる制御用のプログラムや、施設情報配信サーバシステム３０から受信する施設情報を表示部１５等を介して表示するためのプログラムや、当該施設に移動するための経路案内処理を行うためのプログラムや、施設情報配信サーバシステム３０に対する車両５０ａの位置情報の送信処理を行うためのプログラムといった各プログラム、さらにその他、地図情報等の種々の情報が記憶される。図中には、記憶部１２が記憶する情報として、施設情報配信サーバシステム３０に対して提供する情報である、地図情報１２１、位置情報１２２及び識別情報１２３を図示する。
【００３３】
地図情報１２１には、道路や施設等の地物に関する情報、道路情報、施設位置情報、駐車場情報等の情報が含まれる。また、地図情報１２１には他にも、道路及び道路地図等の背景を表示するための表示用地図データ、ノード（例えば道路の交差点、屈曲点、端点等）の位置情報及びその種別情報、各ノード間を結ぶ経路であるリンクの位置情報及びその種別情報、全てのリンクのコスト情報（例えば距離、所要時間等）に関するリンクコストデータ等を含む道路ネットワークデータ等が含まれる。なお、地図情報１２１に含まれる施設に関する情報は、配信対象施設ではなく、地図情報に表示される一般的な施設を対象とする。以下、配信対象施設と区別するために「一般施設」ともいう。なお、配信対象施設は一般対象施設に含まれる。
【００３４】
道路情報としては道路の種別や信号機等のいわゆる道路地図の情報が保存されている。
施設位置情報としては、各一般施設の位置情報が緯度経度の情報として保存されている。また、施設位置情報として、一般施設の識別情報（施設ＩＤ）、名称、施設種別（及び／又はジャンル）、電話番号、住所等が含まれていてもよい。
駐車場情報としては、駐車場の位置情報が緯度経度の情報として保存されている。駐車場が各一般施設の駐車場である場合には、一般施設と駐車場を紐付けて保存される。
【００３５】
位置情報１２２は、後述のセンサ部１４により測位された車載ナビゲーション装置１０の位置情報（すなわち、車両５０ａの位置情報）である。位置情報１２２には、測位された位置を示す情報のみならず、測位を行った時刻である測位時刻も含まれるようにするとよい。
【００３６】
また、識別情報１２３は、車載ナビゲーション装置１０を識別するための情報である。識別情報１２３としては、例えば車載ナビゲーション装置１０に一意に割り当てられた製造番号等を利用することができる。また、他にも、通信部１３が携帯電話網等のネットワークである通信網４０に接続するために、通信部１３に挿入されたＳＩＭ（Subscriber Identity Module）に付与された電話番号を識別情報１２３として利用することができる。また、他にも、車両５０ａに固有に付与されたＶＩＮ（車両識別番号）やナンバープレートの番号を識別情報１２３として利用することができる。
【００３７】
これらの記憶部１２に格納される各情報については、記憶部１２に予め記憶しておく構成としてもよいし、通信網４０に接続された施設情報配信サーバシステム３０や、他のサーバ装置（図示を省略する。）等から必要に応じて適宜ダウンロードされる構成としてもよい。さらに、ユーザの入力等に応じて適宜修正されてもよい。
【００３８】
通信部１３は、ＤＳＰ（Digital Signal Processor）等を有し、３Ｇ（3rd Generation）、ＬＴＥ（Long Term Evolution）やＷｉ−Ｆｉ（登録商標）といった規格に準拠して、通信網４０を介して通信網４０を介した他の装置（例えば、施設情報配信サーバシステム３０）との間の無線通信を実現する。通信部１３は、例えば、後述の位置情報送信部１１２が、記憶部１２に格納されている位置情報１２２及び識別情報１２３を、施設情報配信サーバシステム３０に対して送信するために利用される。ただし、通信部１３と他の装置との間で送受信されるデータに特に制限はなく、位置情報１２２及び識別情報１２３以外の情報が送受信されるようにしてもよい。
【００３９】
センサ部１４は、例えばＧＰＳ（Global Positioning System）センサ、ジャイロセンサ、加速度センサ等により構成される。センサ部１４は、位置情報を検出する位置検出手段としての機能を備え、ＧＰＳセンサによりＧＰＳ衛星信号を受信し、車載ナビゲーション装置１０の位置情報（緯度及び経度）を測位する。センサ部１４による測位は、上述したように所定の時間間隔（例えば３秒間隔）で行われる。測位した位置情報は、位置情報１２２として記憶部１２に格納される。なお、位置情報には、位置情報を測位した時刻情報を含めることが好ましい。そうすることで、車両５０ａが、いつ、どこに位置していたか、を算出することが可能となる。なお、位置情報に時刻情報を含まない場合には、施設情報配信サーバシステム３０により、当該位置情報を測位した時刻情報を推測するようにしてもよい。
なお、センサ部１４は、ジャイロセンサ、加速度センサにより測定される角速度や、加速度に基づいて車載ナビゲーション装置１０の位置情報の測位精度をさらに高めることも可能である。
また、センサ部１４は、ＧＰＳ通信が困難又は不可能となった場合に、ＡＧＰＳ（Assisted Global Positioning System）通信を利用し、通信部１３から取得される基地局情報によって車載ナビゲーション装置１０の位置情報を算出することも可能である。
【００４０】
表示部１５は、液晶ディスプレイ、又は有機エレクトロルミネッセンスパネル等の表示デバイスにより構成される。表示部１５は、制御部１１からの指示を受けて画像を表示する。表示部１５が表示する情報としては、例えば、車載ナビゲーション装置１０の現在位置、地図情報１２１から読み出された車載ナビゲーション装置１０の現在位置周辺の地図情報、ユーザに設定された目的地、他の車載ナビゲーション装置１０から通知された待ち合わせ情報、施設情報配信サーバシステム３０から提供される施設情報（すなわち、施設の紹介情報である第１施設情報及び／又は施設の特典情報である第２施設情報）、当該施設情報を目的地とするルート情報、及び各種のユーザインタフェース等が挙げられる。
【００４１】
入力部１６は、テンキーと呼ばれる物理スイッチや表示部１５の表示面に重ねて設けられたタッチパネル等の入力装置（図示を省略する。）等で構成される。入力部１６からの操作入力、例えばユーザによるテンキーの押下、タッチパネルのタッチに基づいた信号を制御部１１に出力することで、ユーザによる選択操作や、地図の拡大縮小等の操作を実現することができる。
【００４２】
なお、この他、図示しないが、車載ナビゲーション装置１０は、スピーカやマイク等を備えることもできる。スピーカは、運転者に対して音声出力を行い、マイクは、運転者によって発せられた音声等を集音する。
そうすることで、情報をスピーカから音声で出力したり、マイクを介して音声入力された運転者による各種の選択、指示を音声認識技術により、制御部１１に入力したりすることもできる。
【００４３】
次に、制御部１１の詳細について説明をする。制御部１１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部１２から読み出した各プログラムを実行し、その実行の際にはＲＡＭ、ＲＯＭ、及び記憶部１２から情報を読み出し、ＲＡＭ及び記憶部１２に対して情報の書き込みを行い、通信部１３、センサ部１４、表示部１５、及び入力部１６と信号の授受を行う。そして、このようにして、ハードウェアとソフトウェア（プログラム）が協働することにより本実施形態における処理は実現される。
【００４４】
制御部１１は、機能ブロックとして、経路案内部１１１、位置情報送信部１１２及び施設情報取得部１１３を備える。
【００４５】
経路案内部１１１は、ユーザによって入力又は選択された一般施設等の目的地までの経路案内処理を行う部分である。
目的地までの経路案内処理は、一般的なカーナビゲーションシステムにおける経路案内処理と同等である。すなわち、経路案内部１１１は、記憶部１２に記憶されている地図情報１２１に基づいて目的地までの地図を生成し、この地図上にセンサ部１４により測位された車載ナビゲーション装置１０の現在位置と目的地の位置と目的地までのルート情報とを重ね、これを表示部１５に表示することにより経路案内を行うことができる。
なお、経路案内部１１１は、施設情報配信サーバシステム３０から提供される施設情報に係る施設を目的地とするルート情報を経路案内用のルート情報として利用することができる。
【００４６】
さらに、この場合に、図示を省略したスピーカから経路案内用の音声を出力するようにしてもよい。また、道路の混雑状況の情報や天気の情報等を通信部１３による通信により取得して、この取得した情報を経路案内処理に利用するようにしてもよい。例えば、通信部１３を介してＶＩＣＳ（登録商標）（Vehicle Information Communication System）等から取得した道路状況（例えば、渋滞状況等）を経路案内処理に利用するようにしてもよい。なお、目的地までの経路案内処理については、当業者によく知られているので、これ以上の詳細な説明は省略する。
【００４７】
位置情報送信部１１２は、通信部１３を利用した無線通信により、記憶部１２に格納されている位置情報１２２及び識別情報１２３を、施設情報配信サーバシステム３０に対して送信する部分である。
位置情報送信部１１２による、施設情報配信サーバシステム３０に対する位置情報１２２及び識別情報１２３の送信は、車両５０ａに乗車したユーザにより車両５０ａのイグニッションスイッチがオン（エンジンを起動）にされ、車載ナビゲーション装置１０が自動起動してから、車両５０ａのイグニッションスイッチがオフ（エンジンを停止）にされるまでの間、周期的に行われる。例えば、所定の時間間隔（例えば３秒間隔）でセンサ部１４が測位を行う都度、リアルタイムに送信が行われる。
【００４８】
また、リアルタイムに施設情報配信サーバシステム３０に送信する替わりに、複数個まとめて（例えば３分間分の間に３秒間隔で更新された位置情報１２２と、識別情報１２３とをまとめて）、一度に送信するようにしてもよい。すなわち、いわゆるバースト送信をするようにしてもよい。かかる、所定の時間間隔の長さや、リアルタイムに送信するか、それともバースト送信するかは、本実施形態を適用する環境等に応じて、任意に設定することができる。
このようにして、リアルタイム送信やバースト送信を行うことにより、位置情報送信部１１２は、センサ部１４が測位した車両５０ａの移動経路を特定するための位置情報１２２と、識別情報１２３とを、施設情報配信サーバシステム３０に対して送信する。
【００４９】
この場合に、イグニッションスイッチがオン（エンジンを起動）にされ、車載ナビゲーション装置１０が自動起動した直後に測位された位置情報１２２により特定される位置を最初の車両位置、すなわち出発位置として施設情報配信サーバシステム３０に送信することができる。さらに、イグニッションスイッチがオフ（エンジン停止）される直前に測位された位置情報１２２により特定される位置を最終の車両位置、すなわち駐車位置として施設情報配信サーバシステム３０に送信することができる。
この場合、出発位置を表す位置情報１２２であることを示す起動情報や、駐車位置を表す位置情報１２２であることを示す停止情報を、位置情報１２２に追加してから、施設情報配信サーバシステム３０に送信するようにしてもよい。例えば、起動情報であることを示すフラグを１にして送信したり、停止情報であることを示すフラグを１にして送信したりするとよい。なお、イグニッションスイッチがオフ（エンジン停止）される直前に測位された位置情報１２２（すなわち、駐車位置）については、イグニッションスイッチがオン（エンジンを起動）にされ、車載ナビゲーション装置１０が再度起動した際に送信されてもよい。
【００５０】
また、バースト送信を行う場合であっても、経路案内部１１１により車両５０ａが目的地（例えば、或る一般施設）に到着したと判断された場合には、位置情報送信部１１２は、リアルタイムに送信を行うように切り替えるとよい。このようにすれば、或る施設に到着後、駐車位置の位置情報１２２が送信される前に、イグニッションスイッチがオフ（エンジン停止）されてしまい、一般施設等の目的地の位置情報１２２が施設情報配信サーバシステム３０に対して送信されない、という事態を防止することができる。
【００５１】
施設情報取得部１１３は、例えば、車両５０ａの現在走行位置の近傍に所在する施設の施設情報（第１施設情報又は第２施設情報）を施設情報配信サーバシステム３０から受信して取得する。そして、施設情報取得部１１３は、施設情報配信サーバシステム３０から取得した施設情報を例えば表示部１５へ出力する等により、ユーザに提供することができる。
具体的には、施設情報取得部１１３は、ユーザが車両５０ａを運転して施設の近傍を移動するとき、当該ユーザの生活拠点が当該施設の第１範囲内に位置する場合には、施設情報配信サーバシステム３０から当該施設の特典情報（第２施設情報）を受信して取得することができる。
また、施設情報取得部１１３は、ユーザが車両５０ａを運転して施設の近傍を移動するとき、当該ユーザの生活拠点が当該施設の第１範囲外に位置する場合には、施設情報配信サーバシステム３０から当該施設の紹介情報（第１施設情報）を受信して取得することができる。
施設情報取得部１１３は、後述するように、ユーザが車両５０ａを運転して施設の近傍を移動するとき、当該ユーザの生活拠点が当該施設の第１範囲外に位置する場合であっても、例えば、当該ユーザがこれまでに当該施設に滞在した経歴があるときは、地元の人と同様に、施設情報配信サーバシステム３０から当該施設の特典情報（第２施設情報）を受信して取得することができる。
【００５２】
なお、車両５０ａのユーザは、施設情報配信サーバシステム３０に対して施設情報を配信するか否かを明示的に要求するようにしてもよい。この場合、施設情報取得部１１３は、図４Ａに示すように、表示部１５に、例えば「施設情報配信開始ＯＮ」ボタンを表示するようにしてもよい。そうすることで、ユーザによる当該ボタンのタッチ操作により、施設情報配信開始をオンに操作された場合、施設情報取得部１１３は、通信部１３を介して、情報配信開始要求を、施設情報配信サーバシステム３０に送信するように構成することができる。
そうすることで、施設情報取得部１１３は、施設情報配信サーバシステム３０から配信される施設情報を受信して取得することが可能となる。なお、施設情報配信開始のデフォルトをオンとすることで、施設情報取得部１１３は、施設情報配信サーバシステム３０から施設情報を受信して取得するようにしてもよい。
【００５３】
施設情報取得部１１３は、施設情報配信サーバシステム３０から取得した施設情報に基づいて、例えば表示部１５に、図４Ｂに示すように、車両５０ａの現在位置周辺の地図上に配信された施設の位置を表示することができる。なお、図４Ｂでは、施設が複数個所あるケースを例示している。そのような場合、図４Ｃに示すように、ユーザの画面切り換え操作等により、施設情報取得部１１３は、表示部１５にスクロール可能に施設情報（第１施設情報又は第２施設情報）を表示させることで、ユーザに対して立ち寄りたい施設を選択させることができる。
以上、車載ナビゲーション装置１０の構成について説明した。
【００５４】
＜携帯端末２０が備える機能ブロック＞
次に、携帯端末２０が備える機能ブロックについて図５のブロック図を参照して説明をする。
ここで、上述した車載ナビゲーション装置１０は、車両５０ａから電源の供給を受けていたが、携帯端末２０は自身が備えるバッテリ（図示を省略する。）から電源の供給を受ける。ただし、バッテリを充電するために携帯端末２０が車両５０ｂのシガーソケット等から電源の供給を受けるようにしてもよい。
【００５５】
図５に示すように、携帯端末２０は、制御部２１と、記憶部２２と、通信部２３と、センサ部２４と、表示部２５と、入力部２６と、近距離通信部２７とを含んで構成される。
ここで、制御部２１と、記憶部２２と、通信部２３と、センサ部２４と、表示部２５と、入力部２６は、上述した車載ナビゲーション装置１０が含む同名の機能ブロックと同等の機能を有している。つまり、上述した車載ナビゲーション装置１０の説明における「車載ナビゲーション装置１０」の文言を「携帯端末２０」を置き換え、上述した車載ナビゲーション装置１０の説明における、「車両５０ａ」の文言を「車両５０ｂ」と置き換えることにより、携帯端末２０の各機能ブロックの説明となるので、重複する再度の説明は省略する。
【００５６】
一方で、携帯端末２０は、近距離通信部２７を含んでいる点等で、車載ナビゲーション装置１０と相違するので、この相違点について、以下説明をする。
近距離通信部２７は、ＮＦＣ（Near Field Communication）やＢｌｕｅｔｏｏｔｈ（登録商標）といった規格に準拠した非接触の近距離通信、又はＵＳＢ（Universal Serial Bus）ケーブル等を介した有線による近距離通信を行うための部分である。
一方で、車両５０ｂは、近距離通信部２７と通信を行うための近距離通信部を備える。例えば車両５０ｂのＥＣＵ（Electronic Control Unit）が近距離通信部を備える。
そして、携帯端末２０がＥＣＵと近距離通信により通信することができる場合とは、すなわち、携帯端末２０が車両５０ｂの車内に存在する場合である。この場合、携帯端末２０のセンサ部２４が測位する位置情報は、車両５０ｂの位置情報に相当することになる。
【００５７】
そこで、携帯端末２０は、近距離通信部２７を介してＥＣＵと近距離通信できる間は、位置情報送信部２１２を起動させる。そして、起動した位置情報送信部２１２が、車載ナビゲーション装置１０の位置情報送信部１１２と同様にして、センサ部２４が測位した車両５０ｂの移動経路を特定するための位置情報２２２と、識別情報２２３とを、施設情報配信サーバシステム３０に対して送信する。
【００５８】
例えば、ユーザが携帯端末２０を所持して車両５０ｂに乗車し、イグニッションスイッチ等の車両５０ｂの起動スイッチをオンにすると、車両５０ｂと携帯端末２０とが接続（ペアリング）され、携帯端末２０で測位した位置情報２２２及び識別情報２２３が携帯端末２０から施設情報配信サーバシステム３０に送信される。この場合、車両５０ｂと携帯端末２０とのペアリング直後に測位された位置情報１２２により特定される位置を最初の車両位置、すなわち出発位置として施設情報配信サーバシステム３０に送信することができる。
【００５９】
さらに、イグニッションスイッチ等の車両５０ｂの起動スイッチがオフにされると、車両５０ｂと携帯端末２０とのペアリングが解除される。この場合、解除された直前に測位された位置情報１２２により特定される位置を最終の車両位置、すなわち駐車位置として施設情報配信サーバシステム３０に送信することができる。
この場合に、リアルタイムで送信してもよく、バースト送信してもよい点や、駐車位置に到着したと判断された場合には、バースト送信をリアルタイムの送信に切り替えても良い点や、出発位置又は駐車位置であることを示す起動情報や停止情報を追加しても良い点や、再起動時に駐車位置を送信しても良い点も位置情報送信部１１２と同様である。
【００６０】
なお、車両５０ｂが位置情報を測位する機能を有している場合には、センサ部２４が測位する位置情報ではなく、車両５０ｂが測位する位置情報を位置情報１２２として施設情報配信サーバシステム３０に送信するようにしてもよい。この場合、携帯端末２０から、センサ部２４を省略するようにしてもよい。
以上、携帯端末２０の構成について説明した。
【００６１】
＜施設情報配信サーバシステム３０が備える機能ブロック＞
次に、施設情報配信サーバシステム３０が備える機能ブロックについて図６のブロック図を参照して説明をする。
【００６２】
図６に示すように、施設情報配信サーバシステム３０は、制御部３１と、記憶部３２と、通信部３３と、表示部３４と、入力部３５と、を含んで構成される。
【００６３】
制御部３１は、マイクロプロセッサ等の演算処理装置から構成され、３０を構成する各部の制御を行う。制御部３１の詳細については、後述する。
【００６４】
記憶部３２は、半導体メモリ等で構成されており、ファームウェアやオペレーティングシステムと呼ばれる制御用のプログラムや、情報分析処理を行うためのプログラムといった各プログラム、さらにその他、地図情報等の種々の情報が記憶される。図中には、記憶部３２が記憶する情報として、施設情報配信サーバシステム３０による施設情報配信制御処理に関する情報である、位置情報データベース３２１、地図情報３２２、及び施設情報３２３を図示する。
【００６５】
位置情報データベース３２１は、車載ナビゲーション装置１０及び携帯端末２０のそれぞれから受信した位置情報１２２及び位置情報２２２と識別情報１２３及び識別情報２２３とに基づいて構築されるデータベースである。位置情報データベース３２１は、後述の位置情報データベース作成部３１１により構築及び更新される。位置情報データベース３２１の詳細については、位置情報データベース作成部３１１の説明の際に後述する。なお、以下の説明では、位置情報１２２及び位置情報２２２を区別することなく説明する際は、符号を省略して「位置情報」と呼ぶ。また、同様に識別情報１２３及び識別情報２２３を区別することなく説明する際は、符号を省略して「識別情報」と呼ぶ。
【００６６】
地図情報３２２は、上述した地図情報１２１や地図情報２２１と同じ情報である。地図情報３２２は、地図情報１２１や地図情報２２１と同様に、予め記憶しておく構成としてもよいし、通信網４０に接続されたサーバ装置（図示を省略する。）等から必要に応じて適宜ダウンロードされる構成としてもよい。さらに、ユーザの入力等に応じて適宜修正されてもよい。
【００６７】
施設情報３２３は、施設の紹介情報である第１施設情報３２３１、及び施設の特典情報である第２施設情報３２３２を含む。
ここで、施設の紹介情報である第１施設情報３２３１は、例えば、施設が飲食店であれば提供するメニュー、商品役務等に関する施設情報、施設の広告情報等を含むようにしてもよい。施設の特典情報である第２施設情報３２３２は、例えば、商品若しくはサービスの値引き情報、クーポン情報、又はポイント情報等を含むようにしてもよい。ここで、基本情報は、全ての一般施設に対応して作成され、記憶部３２に記憶されることが好ましい。これに対して、第１施設情報３２３１及び第２施設情報３２３２は、配信対象施設に対して任意に作成されるように構成してもよい。第１施設情報及び第２施設情報は、論理的に施設の基本情報３２３０を含む。ここで、施設の基本情報３２３０は、例えば、施設の識別情報（施設ＩＤ）、名称、位置情報、施設種別（及び／又はジャンル、カテゴリー）、電話番号、住所等、基本的な情報を指す。なお、図６に示したように、基本情報３２３０を記憶部３２に記憶し、基本情報を例えば施設の識別情報（施設ＩＤ）により、第１施設情報３２３１、及び第２施設情報３２３２と紐づけるように構成してもよい。
また、施設情報３２３は、予め記憶しておく構成としてもよいし、通信網４０に接続された端末装置（図示省略）等から必要に応じて適宜作成更新される構成としてもよい。特に、第１施設情報３２３１及び第２施設情報３２３２については、例えば施設に設置される端末装置（図示省略）等から当該施設の管理者の入力等に応じて適宜作成更新できるように構成してもよい。
【００６８】
通信部３３は、ＤＳＰ（Digital Signal Processor）等を有し、３Ｇ（3rd Generation）ＬＴＥ（Long Term Evolution）やＷｉ−Ｆｉ（登録商標）といった規格に準拠して、通信網４０を介して通信網４０を介した他の装置との間の無線通信を実現する。通信部３３は、例えば、車載ナビゲーション装置１０及び携帯端末２０のそれぞれから送信される位置情報及び識別情報を受信するために利用される。また、他にも通信部３３は、例えば、車載ナビゲーション装置１０及び携帯端末２０に対して地元ルート情報等の経路情報を送信するために利用される。
ただし、通信部３３と他の装置との間で送受信されるデータに特に制限はなく、これらの情報以外の情報が送受信されるようにしてもよい。
【００６９】
表示部３４は、液晶ディスプレイ、又は有機エレクトロルミネッセンスパネル等の表示デバイスにより構成される。表示部１５は、制御部１１からの指示を受けて画像を表示する。表示部１５が表示する情報としては、例えば、位置情報データベース３２１から読み出された位置情報データベース内の各情報、地図情報３２２から読み出された地図情報、車載ナビゲーション装置１０及び携帯端末２０に対して提供する施設情報（すなわち、施設の紹介情報である第１施設情報及び／又は施設の特典情報である第２施設情報）、及び各種のユーザインタフェース等が挙げられる。
【００７０】
入力部３５は、キーボードやマウス等の入力装置（図示を省略する。）等で構成される。入力部１６からの操作入力に基づいて、例えば、位置情報データベース３２１や地図情報３２２の修正や、施設情報等の修正処理を行うことが可能となる。これらの操作は、例えば、施設情報配信サーバシステム３０を管理する事業者により行われる。
【００７１】
次に、制御部３１の詳細について説明をする。制御部３１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部３２から読み出した各プログラムを実行し、その実行の際にはＲＡＭ、ＲＯＭ、及び記憶部３２から情報を読み出し、ＲＡＭ及び記憶部３２に対して情報の書き込みを行い、通信部３３、表示部３４、及び入力部３５と信号の授受を行う。そして、このようにして、ハードウェアとソフトウェア（プログラム）が協働することにより本実施形態における処理は実現される。
このように、制御部３１は各プログラムを実行することによって、施設情報配信サーバシステム３０に所定の手段（以下、「施設情報配信制御部」と総称する）として機能させる。
また、制御部３１は各プログラムを実行することによって、施設情報配信サーバシステム３０に、所定のステップ（以下、「施設情報配信制御ステップ」と総称する）を実行させる。
以下、制御部３１の有する機能を施設情報配信制御部の観点から説明する。なお、施設情報配信制御ステップ（方法）の観点に基づく説明は、「部」を「ステップ」に置き換えることで説明できるため、省略する。
【００７２】
制御部３１は、機能ブロックとして、位置情報データベース作成部３１１、地元判定部３１２、施設情報配信設定部３１３、及び滞在判定部３１４を含む。
【００７３】
＜位置情報データベース作成部３１１＞
位置情報データベース作成部３１１は、各車両５０から、当該車両５０の識別情報、位置情報、及び時刻情報等を通信部３３を介して受信する。さらに、位置情報データベース作成部３１１は、各車両５０から受信した識別情報、位置情報、及び時刻情報等に基づいて、位置情報データベース３２１を構築して、適宜作成更新する。位置情報データベース作成部３１１を説明する前に、先ず位置情報データベース３２１のデータ構造の一例について説明する。
【００７４】
［位置情報データベース３２１について］
図７に示すように、位置情報データベース３２１は、上述したようにして車載ナビゲーション装置１０及び携帯端末２０のそれぞれから受信した「位置情報」及び「識別情報」を含む。
具体的には、車両５０がイグニッションオンされてから、イグニッションオフされるまで（すなわち、出発から到着まで）に定期的に送信される位置情報、時刻情報等を車両５０の識別情報毎に管理する接続履歴レコード（図示せず）に記憶される。こうすることで接続履歴レコードは、車両５０から逐次受信する現在位置の情報を記憶する。なお、受信は数秒に一度受信しても良いし、車両５０側で時系列的に保存しておき、一定時間、又は車両５０側でアプリを起動したとき等のタイミングでまとめて受信するようにしてもよい。なお、接続履歴レコードは、訪問施設が未定のレコードとして、位置情報データベースの仮レコードとして記憶するようにしてもよい。
なお、出発位置に対応する出発施設ＩＤ、及び到着位置に対応する訪問施設ＩＤについては、記憶部３２の地図情報３２２、一般施設位置情報等に基づいて、出発位置及び到着位置をそれぞれ、地図情報に含まれる一般施設情報と照らし合わせることにより、出発施設ＩＤ及び到着施設ＩＤを特定することができる。
接続履歴レコードは、当該車両がイグニッションオフされると、到着位置である訪問施設が決定されることで、訪問施設情報を含む位置情報データベースのレコードとして記憶される。
位置情報データベース３２１は、上述したようにして車載ナビゲーション装置１０及び携帯端末２０のそれぞれから受信した「位置情報」に基づいて位置情報データベース作成部３１１が特定した、「出発位置」、「訪問施設」を含む。前述したように、「訪問施設」は、車両５０が移動中の場合には未定データを含む。
そして、位置情報データベース作成部３１１は、それぞれの属性に対応する情報を、フィールドに格納することにより、位置情報データベース３２１を構築及び更新する。
【００７５】
ここで、位置情報データベース３２１内の「訪問施設」は、車両５０が移動中の場合を除いて、ユーザが車両５０により到着し滞在した場所（例えば一般施設、職場、学校等）を識別するための情報である。位置情報データベース作成部３１１は、車両５０がイグニッションオフされると、識別情報とともに受信した位置情報から、訪問施設を特定することができる。例えば、上述したように、位置情報に駐車位置を示す情報が含まれている場合を考える。この場合、この駐車位置と、地図情報３２２に含まれる各一般施設の位置（及び施設に紐付けられている駐車場の位置）を比較し、特定した駐車位置と何れかの施設の位置（及び施設に紐付けられている駐車場の位置）が一致した場合に、ユーザが、車両５０によりこの一般施設に到着し滞在したと判定する。
そして、地図情報３２２に含まれる施設の識別情報（施設ＩＤ）が位置情報データベース３２１内の、訪問施設のフィールドに格納される。
【００７６】
また、仮に位置情報に駐車位置を示す情報が含まれていない場合には、例えば、位置情報の送信が開始されて終了するまでの間の、最後に受信した位置情報に対応する位置や、一定時間変化しない位置を駐車位置であるとみなして、各一般施設の位置（及び施設に紐付けられている駐車場の位置）との比較をすることによって訪問施設を特定することもできる。
さらに、仮に位置情報に駐車位置を示す情報が含まれていない場合には、例えば、経路案内において目的地として設定された一般施設を訪問施設として特定することもできる。
【００７７】
なお、上述した駐車位置と、一般施設の位置の「一致」の度合いは任意に定めるようにしてよい。例えば、車載ナビゲーション装置１０や携帯端末２０が位置情報を精度良く測定できるような場合には、一致と判定する範囲を狭くするようにしてもよい。一方で、車載ナビゲーション装置１０や携帯端末２０が位置情報をそれほど精度良く測定できないような場合には、一致と判定する範囲を広くするようにしてもよい。つまり、多少位置がズレている場合にも一致と判定するようにしてもよい。
【００７８】
また、位置情報データベース３２１内の「識別情報」は、上述したように位置情報の送信元である車載ナビゲーション装置１０や携帯端末２０を識別するための情報である。すなわち、車載ナビゲーション装置１０や携帯端末２０に対応する車両５０を識別する情報である。位置情報データベース作成部３１１は、位置情報とともに受信した識別情報をフィールドに格納する。
【００７９】
また、位置情報データベース３２１内の「出発位置」は、訪問施設に移動した際の移動経路における出発位置である。
位置情報データベース作成部３１１は、識別情報とともに受信した位置情報から、出発位置を特定する。例えば、上述したように、位置情報に出発位置を示す情報が含まれているならば、この情報により出発した位置を特定する。また、仮に位置情報に出発位置を示す情報が含まれていない場合には、例えば、位置情報の送信が開始されて終了するまでの間の、最初に受信した位置情報に対応する位置が出発位置であるとみなすこともできる。
位置情報データベース作成部３１１は、このように特定した出発位置に基づいて、出発位置が車両５０の自宅位置か否か、当該ユーザの職場又は学校等の生活拠点位置か否か、又は出発位置が地図情報３２２に含まれる施設（及び施設に紐付けられている駐車場）であるか否かを特定することができる。
位置情報データベース作成部３１１は、位置情報データベース３２１に基づいて、例えば、過去に各日の最初に出発した位置が同じ位置である頻度が大きい場合、当該出発位置を当該ユーザの自宅位置と推定することができる。また、過去に各日（特に平日等）に自宅から移動して同じ停車位置で長時間滞在した後、当該停車位置を出発位置として、自宅に移動する頻度が大きい場合、当該停車位置を地図情報と照らし合わせることで、当該ユーザの職場又は学校等と推定することができる。
【００８０】
また、位置情報データベース３２１内の「位置情報」は、訪問施設を訪問した際の移動経路における出発位置から駐車位置までの間の時間離散的に変化する位置情報の全てである。なお、位置情報データベース３２１内の「位置情報」には、最初の出発位置から当該訪問施設までの位置情報を連結して記憶させるものとする。位置情報データベース作成部３１１は、位置情報の送信が開始されて終了するまでの間に受信した全ての位置情報をフィールドに格納する。
【００８１】
位置情報データベース作成部３１１は、何れかの車載ナビゲーション装置１０及び携帯端末２０から位置情報及び識別情報の送信が一度開始されてから終了するまでの間、受信した位置情報及び識別情報に基づいて作成される接続履歴レコードに基づいて、位置情報データベース３２１を更新する。
【００８２】
＜地元判定部３１２＞
次に、地元判定部３１２について説明をする。以下、前述したように、「施設」は、特に断らない限り、「配信対象施設」を意味する。
地元判定部３１２は、施設の近傍（すなわち、施設の位置から予め設定される第２所定範囲内）を走行中の車両５０から受信した当該車両５０の識別情報に基づいて、位置情報データベース３２１の位置情報の過去の移動履歴を参照することで、当該車両５０の生活拠点位置（例えば自宅位置、職場、又は学校等の位置）を推定する。
地元判定部３１２は、施設の基本情報３２３０に含まれる当該施設の位置情報に基づいて、当該ユーザの何れかの生活拠点位置が当該施設の位置から第１所定範囲内に位置するか否かを判定する。地元判定部３１２は、当該ユーザの何れかの生活拠点位置が当該施設の位置から第１所定範囲内に位置する場合、車両５０のユーザを（当該施設にとって）地元の人（地元民）と判定する。当該ユーザの何れの生活拠点位置も当該施設の位置から第１所定範囲内に位置しない（すなわち、第１所定範囲外に位置する）場合、地元判定部３１２は、車両５０のユーザを（当該施設にとって）地元の人でない（非地元民）と判定する。
前述したように（図２参照）、例えば、当該施設の位置を中心とした半径Ｎ１［ｋｍ］（Ｎ１は、任意の正の値）の範囲を第１所定範囲、当該施設の位置を中心とした半径Ｎ２［ｋｍ］（Ｎ２は、任意の正の値でＮ２＜Ｎ１とする）の範囲を第２所定範囲、とした場合、地元判定部３１２は、車両５０が当該施設の位置から半径Ｎ２［ｋｍ］以内に位置すると、当該車両５０のユーザの何れかの生活拠点位置が当該施設の位置から半径Ｎ１［ｋｍ］以内に位置するか否かを判定する。地元判定部３１２は、当該ユーザの何れかの生活拠点位置が当該施設の位置から半径Ｎ１［ｋｍ］以内に位置する場合、車両５０のユーザを（当該施設にとって）地元の人（地元民）と判定する。当該ユーザの何れの生活拠点位置も当該施設の位置から半径Ｎ１［ｋｍ］の外に位置する場合、地元判定部３１２は、車両５０のユーザを（当該施設にとって）地元の人でない（非地元民）と判定する。
以上のように、地元判定部３１２は、車両５０毎に当該車両５０（ユーザ）が、施設にとって、地元の人（地元民）か、地元の人でない（非地元民）か、を判定する。
より具体的には、地元判定部３１２は、施設と走行している車両５０との関係を一時的に記憶する車両施設対応テーブル（図示せず）を記憶部３２に作成更新するようにしてもよい。ここで、車両施設対応テーブルは、例えば、車両５０が施設の近傍に位置しているか否か、車両５０が施設にとって地元民か否か、非地元民である場合に当該施設に滞在したことがあるか否か、等を示すデータを記憶することが好ましい。
【００８３】
＜施設情報配信設定部３１３＞
次に、施設情報配信設定部３１３について説明をする。施設情報配信設定部３１３は、車両５０が施設の近傍を走行する場合（すなわち、車両５０の現在走行位置が施設位置から第２所定範囲内に位置する場合）に、地元判定部３１２により、車両５０のユーザが当該施設にとって地元民であると判定されたときは、車両５０に対して第２施設情報３２３２を配信するように設定する。他方、施設情報配信設定部３１３は、車両５０のユーザが当該施設にとって非地元民であるときは、車両５０に対して第１施設情報３２３１を配信するように設定する。
例えば、地元判定部３１２が、施設と走行している車両５０との関係を記憶するけた車両施設対応テーブル（図示せず）を定期的に作成更新する場合、当該車両施設対応テーブルに基づいて、車両５０に対して施設の第１施設情報又は第２施設情報３２３２を配信するように設定するようにしてもよい。
そうすることで、地元民が何度も同じ施設情報を受け取る煩わしさを回避するとともに、地元民に対して施設の特典情報を提供することで地元民の施設への立ち寄りの確度を高めることができる。他方、非地元民に対しては施設を紹介する施設情報を提供することで、非地元民が当該施設に立ち寄るきっかけとなる。
【００８４】
なお、車両５０のユーザが当該施設にとって地元民である場合、さらに車両５０の現在走行位置が当該施設に近づくように推移していること（すなわち、施設の位置から車両５０の現在走行位置までの距離が小さくなるように推移していること）を要件として、当該施設の第２施設情報を車両５０に対して配信するように設定するようにしてもよい。
そうすることで、当該施設に近づいている車両５０にに対して、当該施設の特典情報を送信することができるため、当該ユーザが当該施設へ立ち寄るきっかけとなり、当該ユーザの訪問する確度を高めることができる。
【００８５】
また、車両５０が施設の近傍を走行する場合（すなわち、車両５０の現在走行位置が施設位置から第２所定範囲内に位置する場合）に、地元判定部３１２により車両５０のユーザが当該施設にとって非地元民であると判定された場合であっても、後述する滞在判定部３１４により、車両５０が過去に当該施設に駐車して滞在したことがあると判定された場合、施設情報配信設定部３１３は、車両５０に対して第２施設情報３２３２を配信するように設定することが好ましい。
そうすることで、当該施設に過去に滞在したユーザの車両５０に対して、当該施設の特典情報を送信することができるため、当該ユーザがふたたび当該施設へ立ち寄るきっかけを与えて、当該ユーザのリピート率を高めることができる。
なお、施設情報配信設定部３１３は、例えば、車載ナビゲーション装置１０及び携帯端末２０からの施設情報の配信要求に応答して、車両５０の現在位置周辺及び走行ルート周辺に位置している施設の第１施設情報又は第２施設情報を、予め設定された時間（例えば、３０分間）、予め設定された時間間隔（例えば５分間隔）で配信するようにしてもよい。
【００８６】
＜滞在判定部３１４＞
最後に、滞在判定部３１４について説明をする。
滞在判定部３１４は、車両５０の位置情報の過去の推移と当該車両５０の近傍に位置する施設の位置とから、過去における当該車両５０の当該施設の滞在の有無を判定する。
より具体的には、滞在判定部３１４は、車両５０から受信した当該車両５０の識別情報に基づいて、位置情報データベース３２１から、当該車両５０の過去の訪問施設を照会することで、地元判定部３１２により当該車両５０のユーザを非地元民と判定された施設が、当該車両５０が過去に滞在したことがあるか否かを判定することができる。
そうすることで、上述したように、当該施設に過去に滞在したユーザの車両５０に対しては、ユーザが非地元民であっても、当該施設の特典情報を送信するように構成することができる。
【００８７】
以上、本発明の施設情報配信システム１の各機能部の実施形態を、車両５０に搭載される車載ナビゲーション装置１０、携帯端末２０、及び施設情報配信サーバシステム３０の構成に基づいて説明した。なお、本発明の施設情報配信サーバシステム３０の備える各機能部の実施形態は、１台のコンピュータでも、１箇所にある又は数箇所に分散され、通信ネットワークによって相互接続された多数のコンピュータでも分散して実行するように展開できる。また、クラウド上の複数の仮想コンピュータを用いて構成することもできる。
【００８８】
＜本実施形態の動作＞
次に、図８及び図９のフローチャートを参照して、本実施形態の動作について説明する。ここで、図８は、位置情報の収集及び位置情報データベース３２１の作成更新時の動作を示すフローチャートである。また、図９は、施設情報配信設定処理時の動作を示すフローチャートである。
【００８９】
まず、車載ナビゲーション装置１０についての位置情報の収集及び位置情報データベース３２１の作成更新時の動作について図８を参照して説明する。
位置情報送信部１１２が位置情報の送信を開始するか否かを判定する（ステップＳ１１）。ここで、上述したように、車両５０ａのイグニッションスイッチがオンとなった場合に送信が開始される。イグニッションスイッチがオフのままの場合には（ステップＳ１１にてＮｏ）、位置情報送信部１１２による送信は開始されない。一方で、イグニッションスイッチがオンとなった場合には（ステップＳ１１にてＹｅｓ）、ステップＳ１２に進む。
【００９０】
ステップＳ１２では、センサ部１４が、車載ナビゲーション装置１０の位置を測位することにより位置情報を取得する（ステップＳ１２）。
位置情報送信部１１２は、センサ部１４から位置情報を取得し、取得した位置情報を施設情報配信サーバシステム３０に対して、所定の周期で、リアルタイム送信又はバースト送信をする（ステップＳ１３）。
【００９１】
ステップＳ１４では、施設情報配信サーバシステム３０の位置情報データベース作成部３１１が、ステップＳ１３により送信された位置情報に基づいて位置情報データベース３２１における接続履歴レコードを作成更新する。
【００９２】
次に、位置情報送信部１１２が位置情報の送信を終了するか否かを判定する（ステップＳ１５）。上述したように、車両５０ａのイグニッションスイッチがオフとなった場合に送信が終了となる。車両５０ａのイグニッションスイッチがオンのままの場合には（ステップＳ１５にてＮｏ）、ステップＳ１２における測位、ステップＳ１３における送信、及びステップＳ１４における位置情報データベース３２１における接続履歴レコードの作成更新が繰り返される。
【００９３】
一方で、車両５０ａのイグニッションスイッチがオフとなった場合には（ステップＳ１５にてＹｅｓ）、ステップＳ１６に移る。。
【００９４】
ステップＳ１６では、施設情報配信サーバシステム３０の位置情報データベース作成部３１１が、位置情報の送信終了により当該接続履歴レコードの訪問施設を決定することで、位置情報データベース３２１（訪問施設）を更新する。
以上説明した動作により、位置情報の収集及び位置情報データベースの作成更新が実現される。
【００９５】
次に、携帯端末２０についての位置情報の収集及び位置情報データベースの更新時の動作について説明する。携帯端末２０については、上述の説明における、位置情報送信部１１２を位置情報送信部２１２に置き換え、センサ部１４をセンサ部２４に置き換え、ステップＳ１１にてＹｅｓとなる基準を「イグニッションスイッチ等の車両５０ｂの起動スイッチがオンとなり、車両５０ｂと携帯端末２０がペアリングした場合」に置き換え、ステップＳ１４にてＹｅｓとなる基準を「イグニッションスイッチ等の車両５０ｂの起動スイッチがオフとなり、車両５０ｂと携帯端末２０のペアリングが解除された場合」に置き換えればよい。従って重複する説明を省略する。
【００９６】
次に、図９のフローチャートを参照して、施設情報配信設定処理時の動作について説明をする。
【００９７】
ステップＳ２０において、施設情報配信サーバシステム３０（位置情報データベース作成部３１１）は、車両５０から識別情報及び位置情報を受信し、位置情報データベースを更新する。
【００９８】
ステップＳ２１において、施設情報配信サーバシステム３０（地元判定部３１２）は、車両５０が施設の近傍に位置したか否かを判定する。車両５０が施設の近傍に位置した場合（Ｙｅｓ）、ステップＳ２２に進む。車両５０が施設の近傍に位置していない場合（Ｎｏ）、ステップＳ２０に戻る。
【００９９】
ステップＳ２２において、施設情報配信サーバシステム３０（地元判定部３１２）は、当該車両５０のユーザの生活拠点位置を推定する。
【０１００】
ステップＳ２３において、施設情報配信サーバシステム３０（地元判定部３１２）は、当該車両５０のユーザが当該施設にとって地元民か否かを判定する。地元民の場合（Ｙｅｓ）、ステップＳ２５に移る。地元民でない場合（Ｎｏ）、ステップＳ２４に移る。
【０１０１】
ステップＳ２４において、施設情報配信サーバシステム３０（滞在判定部３１４）は、当該車両５０のユーザが過去に当該施設に滞在したことがあるか、否かを判定する。当該車両５０のユーザが過去に当該施設に滞在したことがある場合（Ｙｅｓ）、ステップＳ２５に移る。当該車両５０のユーザが過去に当該施設に滞在したことがない場合（Ｎｏ）、ステップＳ２９に移る。
【０１０２】
ステップＳ２５において、施設情報配信サーバシステム３０（施設情報配信設定部３１３）は、当該車両５０に対して、当該施設の第２施設情報を配信するように設定し、当該車両５０に対して、当該施設の第２施設情報を配信する。その後、ステップＳ２０に移る。
【０１０３】
ステップＳ２９において、施設情報配信サーバシステム３０（施設情報配信設定部３１３）は、当該車両５０に対して、当該施設の第１施設情報を配信するように設定し、当該車両５０に対して、当該施設の第１施設情報を配信する。その後、ステップＳ２０に移る。
【０１０４】
以上のようにして、施設情報配信サーバシステム３０は、地元民の車両５０が施設の近傍に位置したときに、施設の特典情報である第２施設情報を提供し、非地元民の車両５０が施設の近傍に位置したときに、施設の紹介情報である第１施設情報を提供することができる。
なお、車両５０のユーザが地元民である場合に、さらに車両５０の現在走行位置が施設に近づくように推移していること（すなわち、施設の位置から車両５０の現在走行位置までの距離が小さくなるように推移していること）を要件とするときに、施設の第２施設情報を車両５０に対して配信するように設定する場合には、図示しないが、ステップＳ２５において、車両５０の現在走行位置が施設に近づくように推移しているか否かを判定して、車両５０の現在走行位置が施設に近づくように推移しているときに、当該車両５０に対して、当該施設の第２施設情報を配信するように設定し、当該車両５０に対して、当該施設の第２施設情報を配信するように構成すればよい。
【０１０５】
＜ハードウェア及びソフトウェアについて＞
上記の施設情報配信システムに含まれる各機器のそれぞれは、ハードウェア、ソフトウェア又はこれらの組み合わせにより実現することができる。また、上記の施設情報配信システムに含まれる各機器のそれぞれが協働することにより行なわれる施設情報配信方法も、ハードウェア、ソフトウェア又はこれらの組み合わせにより実現することができる。ここで、ソフトウェアによって実現されるとは、１つ以上のコンピュータが１つ以上のプログラムを読み込んで実行することにより実現されることを意味する。
【０１０６】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０７】
＜変形例＞
上述した実施形態は、本発明の好適な実施形態ではあるが、上記実施形態のみに本発明の範囲を限定するものではなく、本発明の要旨を逸脱しない範囲において種々の変更を施した形態での実施が可能である。
＜変形例１＞
上述した実施形態の機能的構成を変形するようにしてもよい。つまり、図３、図５及び図６の機能的構成は例示に過ぎず、本実施形態の機能的構成を限定するものではない。すなわち、本発明の施設推奨機能に関する一連の処理を全体として実行できる機能が各機器に備えられていれば足り、この機能を実現するためにどのような機能ブロックを用いるのかは特に図３、図５及び図６の例に限定されない。
【０１０８】
また、これら機能的構成を実現するための装置についても、上述した実施形態での説明は例示に過ぎない。例えば、上述の実施形態では、施設情報配信サーバシステム３０を１つのサーバ装置等により実現すると説明したが、施設情報配信サーバシステム３０の各機能を、適宜複数のサーバ装置に分散する、分散処理システムとしてもよい。また、クラウド上で仮想サーバ機能等を利用して、施設情報配信サーバシステム３０の各機能を実現してもよい。
【０１０９】
また、施設情報配信サーバシステム３０が備えるとして説明した表示部３４及び入力部３５は、施設情報配信サーバシステム３０の他の部分を実現する装置とは、別体の装置により実現されてもよい。例えば、制御部３１、記憶部３２及び通信部３３を実現する装置と、表示部３４及び入力部３５を実現する装置とを別体とし、通信網４０を介して両装置が通信を行うような構成としてもよい。
【０１１０】
＜変形例２＞
前述したように、施設情報配信サーバシステム３０の記憶部３２に記憶される、第１施設情報３２３１及び第２施設情報３２３２については、例えば施設に設置される施設用端末装置（図示省略）等から当該施設の管理者の入力等に応じて適宜作成更新できるように構成することができる。
例えば、施設用端末装置から施設情報配信サーバシステム３０にログインして、施設情報配信サーバシステム３０において、ユーザＩＤが正当なものであることが判定された後、施設情報配信サーバシステム３０が、第１施設情報及び／又は第２施設情報の作成更新を行うための編集処理画面を当該施設用端末装置に送信することで、施設用端末装置において第１施設情報及び／又は第２施設情報の編集を可能とさせて、当該施設の管理者の入力等に応じて第１施設情報及び／又は第２施設情報を適宜作成更新することができる。
【符号の説明】
【０１１１】
１  施設情報配信システム
１０  車載ナビゲーション装置
１１  制御部
１１１、２１１  経路案内部
１１２、２１２  位置情報送信部
１１３、２１３  施設情報取得部
１２  記憶部
１２１  地図情報
１２２  位置情報
１２３  識別情報
１３  通信部
１４  センサ部
１５  表示部
１６  入力部
２０  携帯端末
２７  近距離通信部
３０  施設情報配信サーバシステム
３１  制御部
３１１  位置情報データベース作成部
３１２  地元判定部
３１３  施設情報配信設定部
３１４  滞在判定部
３２  記憶部
３２１  位置情報データベース
３２２  地図情報
３２３  施設情報
３２３０  基本情報
３２３１  第１施設情報
３２３２  第２施設情報
４０  通信網
５０ａ、５０ｂ  車両
【図１】
2019159552.tif 000003
【図２】
2019159552.tif 000004
【図３】
2019159552.tif 000005
【図４Ａ】
2019159552.tif 000006
【図４Ｂ】
2019159552.tif 000007
【図４Ｃ】
2019159552.tif 000008
【図５】
2019159552.tif 000009
【図６】
2019159552.tif 000010
【図７】
2019159552.tif 000011
【図８】
2019159552.tif 000012
【図９】
2019159552.tif 000013